(57)【要約】【課題】  第三者の不正な侵入を防止でき且つ帰宅した家主等が室内に入る前に錠が第三者により操作された可能性を察知できる電気施錠装置を提供する。【解決手段】  本発明の電気錠装置１は、解錠操作検知器１３の検知信号を受けてからタイマー３７が計測する経過時間が設定時間を超えても警報音停止スイッチ１９の操作がなかった場合には、警報音発生器１５と警報表示器１７とが作動し、警報音発生器１５の作動中に警報音停止スイッチ１９の操作があった場合には警報音発生器１５の警報音が停止し、表示停止スイッチ９の操作により作動中の警報表示器１７の表示が停止する。【選択図】      図１
2004353436.tif 000002
【特許請求の範囲】
【請求項１】
戸に設けた錠の解錠操作を検知する解錠操作検知器と、警報音発生器と、室外側に警報を表示する警報表示器と、解錠操作検知器の検知信号を受けてから経過時間を計測するタイマーと、室内側に設けてあり警報音発生器の警報音を停止するとともにタイマーをリセットする警報音停止スイッチと、警報表示器の表示を停止する表示停止スイッチとを備え、タイマーが計測する経過時間が設定時間を超えても警報音停止スイッチの操作がなかった場合には警報音発生器と警報表示器とが作動し、警報音発生器の作動中に警報音停止スイッチの操作があった場合には警報音発生器の警報音が停止し、表示停止スイッチの操作により作動中の警報表示器の表示が停止することを特徴とする電気錠装置。
【請求項２】
戸に設けた不正解錠操作検知器と、警報音発生器と、室外側に警報を表示する警報表示器と、室外側に電源の入力状態を表示する電源表示器と、室内側に設けた警報音停止スイッチと、室内側に設けた電源スイッチとを備え、警報音発生器及び警報表示器は不正解錠操作検知器からの検知信号により作動し、警報音発生器の作動中に警報音停止スイッチの操作により警報音発生器の警報音が停止し、電源スイッチの操作により作動中の警報表示器及び電源表示器の作動が停止することを特徴とする電気錠装置。
【発明の詳細な説明】
【技術分野】
【０００１】
本発明は、第三者による戸の開閉操作があったことを外出から帰宅した家主等に報知する電気施錠装置に関する。
【背景技術】
【０００２】
特許文献１には、錠の解錠操作を検知してから所定時間経過後に解錠されていない場合には、錠の可動部をロックして解錠を防止する技術が開示されている。
特許文献２には、錠に設けたスイッチが解錠を検知すると、警報音発生器から警報を発すると共に警報表示器に警報を表示する技術が開示されている。
【０００３】
【特許文献１】特許第３１９３９５７号公報
【特許文献２】特開平８−２７０２７８号公報
【発明の開示】
【発明が解決しようとする課題】
【０００４】
しかし、特許文献１に開示の技術では、ピッキング等による不正な解錠が所定時間内に成功してしまった場合には、第三者（侵入者）が室内へ侵入してしまう。このような場合に、自宅に帰宅した家主等が家に入る前に、留守中に第三者による戸の解錠操作があったことに気が付かない。
また、特許文献２に開示の技術では、警報器は室内にあるから留守宅に侵入した第三者が警報音停止スイッチを発見して警報を止めた場合には、自宅に帰宅した家主等が家に入る前に、留守中に第三者による戸の解錠操作があったことに気が付かない。
特許文献１及び２において、不正に戸の錠を開けて第三者が室内に侵入した場合、侵入した第三者が未だ室内にいるときには、帰宅した家主等が注意をしないで室内に入るのは危険である。
【０００５】
そこで、本発明は、第三者の不正な侵入を防止でき且つ帰宅した家主等が室内に入る前に錠が第三者により操作された可能性を察知できる電気施錠装置の提供を目的とする。
【課題を解決するための手段】
【０００６】
請求項１に記載の発明は、戸に設けた錠の解錠操作を検知する解錠操作検知器と、警報音発生器と、室外側に警報を表示する警報表示器と、解錠操作検知器の検知信号を受けてから経過時間を計測するタイマーと、室内側に設けてあり警報音発生器の警報音を停止すると共にタイマーをリセットする警報音停止スイッチと、警報表示器の表示を停止する表示停止スイッチとを備え、タイマーが計測する経過時間が設定時間を超えても警報音停止スイッチの操作がなかった場合には警報音発生器と警報表示器とが作動し、警報音発生器の作動中に警報音停止スイッチの操作があった場合には警報音発生器の警報音が停止し、表示停止スイッチの操作により作動中の警報表示器の表示が停止することを特徴とする。
【０００７】
請求項２に記載の発明は、戸に設けた不正解錠操作検知器と、警報音発生器と、室外側に警報を表示する警報表示器と、室外側に電源の入力状態を表示する電源表示器と、室内側に設けた警報音停止スイッチと、室内側に設けた電源スイッチとを備え、警報音発生器及び警報表示器は不正解錠操作検知器からの検知信号により作動し、警報音発生器の作動中に警報音停止スイッチの操作により警報音発生器の警報音が停止し、電源スイッチの操作により作動中の警報表示器及び電源表示器の作動が停止することを特徴とする。
【発明の効果】
【０００８】
請求項１に記載の発明によれば、制御装置が解錠操作検知器から検知信号を受けた後、タイマーの設定時間経過前に解錠して室内にある警報音停止スイッチが操作されなかった場合には、警報音発生器と警報表示器とが作動して警報し、仮に所定時間内に解錠操作が成功した場合でも、第三者は警報音停止スイッチの存在を知らないので、タイマーが計測する経過時間が設定時間を超えるので警報が鳴り、不正に解錠操作している第三者は解錠を止めて立ち去るか、あるいは既に解錠に成功して室内に入った場合でも音に驚いて逃げる可能性が高いので、防犯を図ることができる。
その後、万が一侵入者が警報音停止スイッチを発見してスイッチを操作した場合でも、警報音発生器の警報音が停止するが、警報表示器は警報を表示し続けので、帰宅した家主等は室内に入る前に警報表示器が警報を表示していることから何者かにより解錠操作が行なわれたことに気が付き、場合によっては未だ室内に侵入者がいる可能性を察知することができる。
【０００９】
請求項２に記載の発明によれば、不正解錠操作が行なわれると不正解錠操作検知器が検知して警報音発生器を作動して警報音が鳴ると共に警報表示器が室外側に警報を表示する。警報が鳴ることにより、不正に解錠操作している第三者は解錠を止めて立ち去るか、あるいは既に解錠に成功して室内に入った場合でも立ち去る可能性が高いので、防犯を図ることができる。
不正解錠者が警報音発生器の作動中に警報音停止スイッチを発見して操作した場合には、警報音は停止するが、警報表示器は室外側に警報を表示し続ける。したがって、帰宅した家主等が室内に入る前に警報表示器が警報を表示していることから戸の解錠操作が行なわれたことに気が付き、場合によっては未だ室内に侵入者がいる可能性を察知することができる。
また、不正侵入者が電気施錠装置の電源スイッチを切ったり、室内ブレーカを落としたり、あるいは停電の場合には、警報表示器の表示が停止するが、電源表示器により電源の入力がないことが表示されるので、帰宅した家主等は警報表示器の表示がない場合でも室内に入る前に電源の異常に気が付き、侵入者が入った可能性を察知することができる。
【発明を実施するための最良の形態】
【００１０】
以下に、添付図面を参照して本発明の実施の形態を説明する。図１は本発明の実施の形態にかかる電気錠装置を備える戸の図であり、（ａ）は室外側から見た斜視図であり、（ｂ）は室内側から見た斜視図であり、図２は電気錠装置の構成を示すブロック図であり、図３は、電気錠装置の制御を示すタイムチャートであり、（ａ）〜（ｄ）は各場合におけるタイムチャートを示している。
本実施の形態にかかる電気錠装置１を設けた戸３は玄関扉であり、この戸３には主錠５と、補助錠（錠）７とにより二重の施錠がしてあり、電気錠装置１は補助錠７の解錠操作を検知して解錠操作があったことを報知するものである。主錠５と補助錠７とは、それぞれリモコン（リモートコントローラ）２３により施解錠可能であるが、それぞれの錠３、５はキーの挿入によっても施解錠が可能な構成になっている。
主錠５は戸３の上下方向略中央であって取手２９の近傍に設けてあり、補助錠７は、戸３の上端部にあり、本実施の形態では子ドア２５の上端部に設けている。補助錠７は、操作者の頭と同じか頭よりも高いところに手を挙げてキー操作するようになっている。尚、主錠５の室内側はサムターン６になっており、補助錠７も室内側はサムターン８になっている。本実施の形態にかかるサムターン６、８には、突設した摘みがなく、窪み６ａ、８ａのみが室内側表面に形成されており、窪み８ａに指を入れて回すようになっている。このように、突設した摘みを設けていないので、戸の隙間から針金等を入れて引っ掛けることができないため、サムターン６、８を回すことが困難であり、防犯に優れている。
電気錠装置１は、電源スイッチ（表示停止スイッチ）９と、電源表示器１１と、解錠操作検知器（不正解除検知器）１３と、警報音発生器１５と、警報表示器１７と、警報音停止スイッチ１９と、制御装置２１と、タイマー３７（不正解除検知器）から構成されている。
尚、解錠操作検知器１３とタイマー３７とで、請求項２に記載の不正解錠操作検知器を構成している。
電源スイッチ９は子ドア２５の室内側であって、床２７に近い位置に設けてあり、屈まないと見え難い位置にあり、電源スイッチ９の位置は第三者に分かり難くい。
警報表示器１７と、電源表示器１１と、警報音発生器１５とは戸３の室外側に向けて設けてあり、これらは補助錠７と略同じ位置で並んで設けられている。
電源表示器１１はＬＥＤランプであり、電源スイッチ９から電源が入力されていると制御装置２１から作動信号を受けて点灯する。電源スイッチ９が入力されていない場合、例えば電源スイッチ９が切られていたり室内電源のブレーカが下げられている場合、更に停電の場合には、電源表示器１１は消灯する。
警報表示器１７は、電源表示器１１の横に並んで配置されている。警報表示器１７はＬＥＤランプであり、制御装置２１からの作動信号を受けて点滅するようになっている。尚、電源表示器１１のＬＥＤランプと、警報表示器１７のランプとは異なる色であり、いずれが電源表示器か識別できるようになっている。
警報音発生器１５は、スピーカであり、制御装置２１から信号を受けると警報音を発生する。
解錠操作検知器１３は補助錠７に設けられており、補助錠７の操作があったことを検知するものである。補助錠７は、シリンダ錠３１とシリンダ錠３１の鍵穴を覆う透明カバー３３と、透明カバー３３の移動を案内するガイド部３５とを備えており、透明カバー３３を上方にスライドして外すことによりシリンダ錠３１の鍵穴を露出する。ガイド部３５には、解錠操作検知器１３が設けてられており、透明カバー３３がガイド部３５から上方にスライドしたときに制御装置２１に検知信号を送るようになっている。この解錠操作検知器１３は、本実施の形態ではリミットスイッチであり、透明カバー３３に押えられてＯＦＦ状態になっていたスイッチが、透明カバー３３を移動したときに付勢力に順じて変形して入力（ＯＮ）される。
警報音停止スイッチ１９は、子ドア２５の室内側に設けてあり、制御装置２１が警報音停止スイッチ１９の入力信号を受けると、警報音発生器１５の作動を停止し且つ制御装置２１のタイマー３７をリセットする。
制御装置２１のタイマー３７は、経過時間を計測し、且つ摘み３９（図２参照）の操作により設定時間が予め設定されるようになっており、設定時間の変更も可能である。
尚、図２において、符号３０は電源アダプタである。
【００１１】
次に、本発明にかかる電気錠装置１の操作及び作用について説明する。この電気錠装置１は、リモコン２３の操作により主錠５及び補助錠７の施解錠が同時にできるようになっており、通常はキーを用いずに戸３の開閉を行なうことができる。したがって、リモコン２３により施解錠の操作する場合には、補助錠７に触れることがない。
一方、家主等であってもリモコン２３を室内に置き忘れて外出した場合等には、キーにより戸を開閉する場合がある。この場合のタイムチャートを図３（ａ）に示す。電源スイッチ９は外出前に入力状態にしてあり、電源スイッチ９の入力により、室外側にある電源表示器１１が点灯している。そして、外出から帰宅した家主等がキー操作により戸３を開く場合には、まず主錠５を解錠し、次に、戸３の上方にある補助錠７の透明カバー３３を上方にスライドして、補助錠７の鍵穴を露出し、キーを鍵穴に挿入してあける。尚、透明カバー３３を上方にスライドすると、ガイド部３５に設けてある解錠操作検知器１３が制御装置２１に検知信号を発信する。
制御装置２１では、解錠操作検知器１３の検知信号を受けるとタイマー３７をスタートさせて経過時間の計測を開始する。
家主等は補助錠７を解錠すると、戸３を開いて室内に入り、警報音停止スイッチ１９を押す。制御装置２１が警報音停止スイッチ１９の入力信号を受けると、タイマー３７の経過時間が設定時間内か否か判断し、設定時間内である場合には、タイマー３７をリセットする。警報停止スイッチ１９からの入力信号が設定時間内の場合には、制御装置２１は警報音発生器１５及び警報表示器１７を作動しない。正当にキーを所有している家主等は、警報音停止スイッチ１９を押さないと警報が鳴ることや警報音停止スイッチ１９の場所も知っており、タイマー３７の設定時間内に警報音停止スイッチ１９を押すことができる。
次に、図３（ｂ）に制御装置２１が解錠操作検知器１３から検知信号を受けた後、設定時間を経過しても警報音停止スイッチ１９が押されなかった場合について説明する。例えば、不正に侵入しようとする第三者がピッキング等により補助錠７を開けることができずに諦めた場合や、補助錠７をあけることができたが、警報音停止スイッチ１９の存在を知らないために、警報音停止スイッチ１９を押せなかった場合である。
この場合には、制御装置２１が解錠操作検知器１３の検知信号を受けてからタイマー３７が経過時間を計測し、経過時間が設定時間を超えると、制御装置２１は警報音発生器１５及び警報表示器１７に作動信号を発し、警報音発生器１５からは警報音が鳴り、警報表示器１７は点滅する。
即ち、本実施の形態では、不正解除操作検知器は、解除操作検知器１３とタイマー３７とから構成されており、解除操作検知器１３が解除操作を検知してから所定時間内に室内に入って警報音停止スイッチを操作しなかったことを検知するものである。
警報音発生器１５は所定時間、例えば１分間のみ作動し、１分間経過後には警報音は停止する。したがって、不正に侵入しようとする第三者が錠７を解錠操作したが結果的に戸３を開けないで立ち去った場合や、錠７を解錠して戸３を開けたが設定時間が過ぎて警報音発生器１５から警報が鳴り、この警報に驚いて逃げた場合に、いつまでも音が鳴り響いて近所迷惑となることを防止できる。
一方、警報表示器１７の点滅は続くので、その後に帰宅した家主等は、戸３の外から、室内に入る前に戸３の上方で点滅している警報表示器１７に気がつき、留守中に第三者が不正に侵入した可能性や、場合によっては不正に侵入した者が未だ室内にいる可能性を察知することができる。
図３（ｃ）には、補助錠７の解錠操作検知器１３から検知信号を受けた後、警報音停止スイッチ１９が押されたが、警報音停止スイッチ１９が押されるまでに要した時間が設定時間を過ぎている場合を示している。例えば、不正な第三者によるピッキングに時間がかかり戸を設定時間内に開けられなかった場合や、設定時間内に補助錠７をピッキングにより開けることができたが警報音停止スイッチ１９の存在に気が付くのが遅かった場合である。
この場合には、タイマー３７が計測する経過時間が設定時間を超えたことにより作動した警報音発生器１５の警報音のみが停止し、警報表示器１７は点滅し続ける。しかし、警報表示器１７は戸３の外側に設けてあるので、不正に侵入した第三者は警報表示器１７があることや警報表示器１７が点滅していることに気がつき難い。一方、外出から帰宅した家主等は警報表示器１７が点滅しているので、戸３の外側で留守中の異常に気が付き、留守中に不正な第三者が侵入したか、場合によってはその侵入者が室内に未だにいる可能性を察知することができる。
図３（ｄ）には、不正な第三者が侵入後に電源スイッチ（表示停止スイッチ）９を切ったり、室内電源のブレーカを落としたり、あるいは停電の場合である。この場合には、電気錠装置１に電力が供給されないので警報表示器１７は点滅しないが、電源表示器１１も点灯していない、即ち電源表示器１１のランプが消えているので、帰宅した家主等は警報表示器１７が点滅していないが、電気錠装置１が作動していないことに気がつき、不正な第三者が侵入した可能性があることを察知することができる。
特に、本実施の形態では、警報表示器１７と、電源表示器１１とが並んで配置しているので、警報表示器１７が作動していない場合でも隣にある電源表示器１１も作動していないことに気がつきやすい。
補助錠７は戸３の上部に設けているので、ピッキング用の器具を鍵穴に差し込み難く、ピッキング等による不正な解錠を防止できる。
補助錠７は透明カバー３３で覆われており、第三者は戸３の室外側から容易に補助錠７があることに気が付きやすいが、この場合、不正に侵入しようとする第三者は主錠５と補助錠７との２つの錠を開けなければならないことがわかり解錠に手間がかかりそうなので不正な侵入を諦めやすく、ピッキング等の不正な侵入を牽制できる。しかも、本実施の形態では、補助錠７が戸３の上部にありピッキングし難いので、不正侵入を諦めやすい。
【００１２】
本発明は、上述した実施の形態に限らず、本発明の要旨を逸脱しない範囲で種々変形可能である。
例えば、警報表示器１７は、点滅することに限らず、点灯のみするものであってもよいし、文字や図形を表示しても良く、視覚的に認識できるものであればよい。
解錠操作検知器１３は、主錠５の操作を検知するものであってもよい。
補助錠７はカバー部材３３で覆わずに、そのまま鍵穴を露出させておくものであってもよい。この場合に、解錠操作検知器１３は、シリンダ錠３１に物体が挿入されたことを検知するものとしてもよい。
電源スイッチ（表示停止スイッチ）９や警報音停止スイッチ１９の位置は限定されず、室内側に設けるものであれば、戸３から離れた場所に設けるものであってもよい。また、電源スイッチ９や警報音停止スイッチ１９はカバーにより隠すものであってもよい。
警報音発生器１５による警報音の発生時間は１分間に限定されず、何分でもよい。
補助錠７は、戸３の上端部にあることに限らず、上下方向の略中央にあってもよく、補助錠７の位置は限定されない。
戸３は、扉に限らず、引戸であってもよい。
不正解錠操作検知器は、解錠操作検知器１３とタイマー３７とで構成するものに限定されるものではなく、通常はリモコン２３により施解錠されるので、透明カバー３３を開けてキー操作することは稀であることやコスト低減からタイマー３７をなくしたいことから、透明カバー３３がガイド部３５から上方にスライドされることを不正解錠操作とみなして、これを検知する解錠操作検知器１３のみを不正解錠操作検知器とするものであってもよい。
また、不正解錠操作検知器は、シリンダ錠３１の錠孔内に設けた振動検知センサーであり、キー以外の異物、例えば、ドライバーや針金等でキーでは発生しない振動を与えた場合に不正解錠操作とみなすものとしてもよい。
【図面の簡単な説明】
【００１３】
【図１】図１は本発明の実施の形態にかかる電気錠装置を備える戸の図であり、（ａ）は室外側から見た斜視図であり、（ｂ）は室内側から見た斜視図である。
【図２】電気錠装置の構成を示すブロック図である。
【図３】各場合における電気錠装置の制御を示すタイムチャートである。
【符号の説明】
【００１４】
１      電気錠装置
３      戸
７      補助錠（錠）
９      電源スイッチ（表示停止スイッチ）
１１    電源表示器
１３    解錠操作検知器（不正解除検知器）
１５    警報音発生器
１７    警報表示器
１９    警報音停止スイッチ
２１    制御装置
３７    タイマー（不正解除検知器）
【図１】
2004353436.tif 000003
【図２】
2004353436.tif 000004
【図３】
2004353436.tif 000005